(57)【要約】【課題】肩紐や装着バンドを用いなくても胸部に取付けることができ、着脱が容易なブラジャーを提供する。【解決手段】ブラジャー本体１は、互いに連結された左右一対のカップ部２ａ，２ｂと、該一対のカップ部２ａ，２ｂの左右両端部に該カップ部の端部に沿って設けられた該カップ部の面積の１／８〜１／２の面積を有する左右対称の一対の連結用部片３ａ，３ｂと、該連結用部片に設けられた雌雄の一方の面ファスナー６とを備える。ブラジャー固定片１０は、上記連結用部片の面ファスナー６と着脱される面ファスナー１１を備え、皮膚用接着剤１２により腋部に貼着される。【選択図】　　　　図１
2004060085.tif 000002
【特許請求の範囲】
【請求項１】
互いに連結された左右一対のカップ部と、該一対のカップ部の左右両端部に該カップ部端部に沿って設けられた該カップ部の面積の１／８〜１／２の面積を有する一対の連結用部片と、該連結用部片に設けられた雌雄の一方の面ファスナーとを備えるブラジャー本体、及び、
上記連結用部片の面ファスナーと着脱される雌雄の他方の面ファスナーを備え、皮膚用接着剤により腋部に貼着されるブラジャー固定片、
から成ることを特徴とするブラジャー。
【請求項２】
連結用部片の面ファスナーと着脱される面ファスナーをバンド部の両端に設けてなる装着用バンドを別設した、
ことを特徴とする請求項１に記載のブラジャー。
【請求項３】
雄の面ファスナーがプラスチックフィルムの片面に多数のフックピンを一体に突設した面ファスナーであり、雌の面ファスナーが上記フックピンと係合するメッシュまたはループをもった布製の面ファスナーである、
ことを特徴とする請求項１または２に記載のブラジャー。
【請求項４】
上記雄の面ファスナーがブラジャー本体の連結用部片に取り付けられ、上記雌の面ファスナーがブラジャー固定片に設けられている、
ことを特徴とする請求項１〜３のいずれかに記載のブラジャー。
【請求項５】
上記連結用部片に取り付けた雄の面ファスナーが該連結用部片とほぼ同様の形状でそれよりわずかに小さく、上記ブラジャー固定片に設けた雌の面ファスナーが上記雄の面ファスナーと同等かそれよりも大きい、
ことを特徴とする請求項４に記載のブラジャー。
【請求項６】
上記腋部に貼着される面ファスナーの裏面に皮膚用接着剤が塗着され、その皮膚用接着剤の塗着面が剥離紙で覆われている、
ことを特徴とする請求項１〜５のいずれかに記載のブラジャー。
【発明の詳細な説明】
【０００１】
【発明の属する技術分野】
本発明は、ブラジャーに関するものであり、特に、肩紐や装着バンドを用いなくても胸部に取付けることができるブラジャーに関するものである。
【０００２】
【従来の技術】
乳房を覆う左右一対のカップ部を、肩紐や装着バンドを用いて女性の胸部に取付けるようにしたブラジャーは従来公知である。
また、タンクトップのように肩を出す型式の洋服を着る場合に肩紐が見えるのを嫌うことから、一対の胸パッドを乳房に直接貼着したり、一対の乳首用パッドを乳首に直接貼着するようにしたものも公知（例えば、実開昭６２−１９４７０５号公報、実開昭５０−１０８６２８号公報）である。
【０００３】
しかし、肩紐や装着バンドを用いて胸部に取付けた従来のブラジャーでは、ブラジャーの着脱が面倒であったり、肩からの吊紐が煩わしかったり、胸背を圧迫する感じがするといった問題がある。
また、上記従来公知の胸パッドや乳首用パッドは、使い捨てを考慮した小さな軽い安価なものであり、ブラジャーのように豪華な感じがするものではない。
更に、乳房や乳首に直接貼着するために一度剥がしたら再度貼着することが困難であり、そのために、一旦貼着した胸パッドを別の色柄の胸パッドに交換したい、あるいは乳児に母乳を与えるために胸パッドを何回も着脱する必要があるといった場合には不適であった。
【０００４】
【発明が解決しようとする課題】
本発明は、このような問題を解決したもので、その発明の課題は、使い捨てでない耐久性を備えたものでありながら、肩紐や装着バンドを用いなくても胸部に取付けることができ、しかも、その着脱が容易なブラジャーを提供することにある。
本発明の他の課題は、必要に応じて簡単に着脱できる装着用のバンドを用いることもできる上記ブラジャーを提供することにある。
【０００５】
【課題を解決するための手段】
上記課題を解決するための本発明に係るブラジャーは、互いに連結された左右一対のカップ部と、該一対のカップ部の左右両端部に該カップ部端部に沿って設けられた該カップ部の面積の１／８〜１／２の面積を有する一対の連結用部片と、該連結用部片に設けられた雌雄の一方の面ファスナーとを備えるブラジャー本体、及び、上記連結用部片の面ファスナーと着脱される雌雄の他方の面ファスナーを備え、皮膚用接着剤により腋部に貼着されるブラジャー固定片から成ることを特徴とするものである。
上記ブラジャーには、連結用部片の面ファスナーと着脱される面ファスナーをバンド部の両端に設けてなる装着用バンドを別設することができる。
【０００６】
上記ブラジャーにおいては、上記雄の面ファスナーが、プラスチックフィルムの片面に多数のフックピンを一体に突設した面ファスナーであり、上記雌の面ファスナーが上記フックピンと係合するメッシュまたはループをもった布製の面ファスナーであるのが望ましく、特に、上記雄の面ファスナーがブラジャー本体の連結用部片に取り付けられ、上記雌の面ファスナーがブラジャー固定片に設けられ、更に、上記連結用部片に取り付けた雄の面ファスナーを該連結用部片とほぼ同様の形状でそれよりわずかに小さく、上記ブラジャー固定片に設けた雌の面ファスナーを上記雄の面ファスナーと同等かそれよりも大きくするのがより適切である。
また、上記ブラジャーの好ましい実施形態においては、腋部に貼着される面ファスナーの裏面に皮膚用接着剤が塗着され、その皮膚用接着剤の塗着面が剥離紙で覆われたものとして提供される。
【０００７】
上記構成を有するブラジャーを着用するには、まず、左右の腋部にブラジャー固定片の面ファスナーを皮膚用接着剤を介して貼着しておき、その面ファスナーに上記ブラジャーの連結用部片に取り付けられた面ファスナーを押しつけると、該雄雌の面ファスナーが互いに結合するためにブラジャー本体は面ファスナーを介して胸部に保持される。
上記面ファスナーは腋部に貼着されるため、従来の肩紐や装着バンドを用いたブラジャーとは違って手を背中や肩にまわす必要がなく、簡単に胸部に取付けることができる。しかしながら、バンドによってブラジャー本体をより安定的に装着したい場合には、別設の装着用バンドの両端に設けた面ファスナーを、ブラジャー本体における連結用部片の面ファスナーと結合させることにより、該装着用バンドによる装着を行うこともできる。
【０００８】
上記ブラジャーは、互いに連結された左右一対のカップ部と、該一対のカップ部の左右両端部に該カップ部端部に沿って設けた一対の連結用部片とを有し、該連結用部片に設けられた面ファスナーが腋部に貼着された面ファスナーに着脱されるため、上記ブラジャーを肩紐や装着バンドを用いなくても胸部に取付けることができて、着脱が容易であり、しかも、面ファスナーが設けられる上記連結用部片の面積を十分大きく確保することができるので、連結用部片及び上記雌雄の面ファスナーを介して上記ブラジャーをバランスよく大きな力で胸部に保持することができる。
【０００９】
また、上記雄の面ファスナーは、プラスチックフィルムの片面に多数のフックピンを一体に突設した面ファスナーとし、上記雌の面ファスナーは上記フックピンと係合するメッシュまたはループをもった布製の面ファスナーにすることができ、該雄雌の面ファスナーの接合は、ファスナー面と平行な方向の引張力に対しては大きな抗力を示して離脱し難いが、ファスナー面に垂直な方向の剥離力に対しては比較的剥がれやすいものであるため、上記ブラジャーを取り外す時には小さな力で簡単に剥がすことができ、一方、上記ブラジャーの使用時にはファスナー面と平行な方向の大きな抗力により離脱したりずれ動くことがないから、ブラジャーの使用、着脱が快適に行われる。
【００１０】
更に、上記腋部に貼着される面ファスナーの裏面に皮膚用接着剤を予め塗着してあると、面ファスナーを腋部に押しつけるだけで上記面ファスナーを腋部に簡単に貼着でき、また、皮膚用接着剤を用いるため腋部の皮膚が接着剤でかぶれるということもない。
また、上記面ファスナーの上記皮膚用接着剤が塗着された面が剥離紙で覆われていると、上記面ファスナーの取り扱いが容易になる。
【００１１】
【発明の実施の形態】
図１〜図３は本発明に係るブラジャーの一実施例を示している。
この実施例のブラジャーは、ブラジャー本体１とブラジャー固定片１０から成り、上記ブラジャー本体１は、図１、図３に示すように、連結片４を介して互いに連結された乳房を覆うための左右一対のカップ部２ａ，２ｂと、該一対のカップ部２ａ，２ｂの左右両端部に該カップ部２ａ，２ｂの端部に沿って設けられた左右対称の一対の連結用部片３ａ，３ｂと、該連結用部片３ａ，３ｂに設けられた面ファスナー６とを備えている。上記一対の連結用部片３ａ，３ｂは、カップ部の面積の１／８〜１／２の面積を有するものである。なお、上記カップ部２ａ，２ｂ、連結用部片３ａ，３ｂ及び連結片４は、布製で、使い捨てするものではなく、耐久性を有している。
また、上記ブラジャー固定片１０は、連結用部片３ａ，３ｂの面ファスナー６と着脱される面ファスナー１１を備え、皮膚用接着剤１２により腋部に貼着されるものである。
【００１２】
更に詳述すると、図２に示すように、上記面ファスナー６は、ポリプロピレンを主成分としたプラスチックフィルム６ａの片面に多数のマシュルーム状のフックピン６ｂを一体に突設した雄の面ファスナーであり、一方、上記面ファスナー１１は、基布１１ａの一方の面に上記フックピン６ｂと係合する多数の繊維のループ１１ｂを有し、該基布１１ａの他方の面に皮膚用接着剤１２が塗着され、該皮膚用接着剤１２が剥離紙１３で覆われている織布あるいは不織布等からなる雌の面ファスナーである。
図２に示す面ファスナー１１はフックピン６ｂと係合するループ１１ｂをもった布製の雌の面ファスナーであるが、必ずしもこれに限定される必要はなく、図示はしていないがフックピン６ｂと係合するメッシュをもった布製の雌の面ファスナーでもよい。
【００１３】
上記面ファスナー６，１１は、雄の面ファスナー６のフックピン６ｂが雌の面ファスナー１１のメッシュまたはループ１１ｂに係合して互いに結合する面ファスナーであるため、それらの面ファスナー６，１１の接合は、ファスナー面と平行な方向の引張力に対しては各フックピン６ｂがループ１１ｂに係合して大きな抗力を示し、離脱し難いが、ファスナー面に垂直な方向の剥離力に対しては各フックピン６ｂがループ１１ｂから抜け出す方向であるために比較的剥がれやすいものである。そのため、上記ブラジャーを取り外す時には小さな力で簡単に剥がすことができるが、上記ブラジャーの着用時にはファスナー面と平行な方向の大きな抗力により離脱したりずれ動くことがなく、ブラジャーの使用、着脱が快適に行われる。
【００１４】
上記面ファスナー６は、上記連結用部片３ａ，３ｂとほぼ同様の形状で該連結用部片３ａ，３ｂよりわずかに小さく、上記雄の面ファスナー６は上記連結用部片３ａ，３ｂに縫着または接着により固着されている。
上記面ファスナー６を上記連結用部片３ａ，３ｂとほぼ同様の形状でそれよりわずかに小さく、また、面ファスナー１１を上記面ファスナー６と同等かそれよりも大きくすると、上記連結用部片３ａ，３ｂがほぼ同程度の面積の面ファスナー６，１１で保持されるために上記連結用部片３ａ，３ｂの保持力を十分に確保できる。
【００１５】
図１〜図２に示す実施例では、腋部に貼着される面ファスナー１１が雌の面ファスナーであり、連結用部片３ａ，３ｂに固着される面ファスナー６が雄の面ファスナーであるが、該雄雌の関係を逆にできることは当然である。
上記雄の面ファスナーを腋部に貼着される面ファスナーとして用いる場合には、該面ファスナーのフックピン６ａを突設した面と反対側の面に皮膚用接着剤を塗着１２し、該接着剤を剥離紙１３で覆った構造になるが、このような構造にすることにより該面ファスナーの取り扱いが容易になる。
また、上記面ファスナー６はポリプロピレン等のプラスチック製の面ファスナーであるが、必ずしもこれに限定される必要はなく、別のプラスチック製の面ファスナーであってもよい。
【００１６】
上記ブラジャーを着用するには、上記面ファスナー１１の剥離紙１３を剥がしてから、図３に示すように、該面ファスナー１１を腋部に貼着し、該腋部に貼着された雌の面ファスナー１１に上記ブラジャーの連結用部片３ａ，３ｂに取り付けた雄の面ファスナー６を押しつけると、該雄雌の面ファスナーが互いに結合するから、上記ブラジャーは該連結用部片３ａ，３ｂ及び面ファスナー６，１１を介して胸部に保持される。
上記面ファスナー１１は、その片面に塗着された皮膚用接着剤１２を介して腋部に貼着されるため、腋部の皮膚が接着剤でかぶれるということもない。
【００１７】
そして、上記ブラジャー本体１は、互いに連結された左右一対のカップ部２ａ，２ｂの左右両端部に設けられた一対の連結用部片３ａ，３ｂが、一対のカップ部２ａ，２ｂの面積の１／８〜１／２の面積を有するために、面ファスナー６が固着される連結用部片３ａ，３ｂの面積を十分大きく確保することができ、しかも該一対の連結用部片３ａ，３ｂが該一対のカップ部２ａ，２ｂのカップ部端部に沿って左右対称に設けられているため、上記ブラジャーを左右対称の一対の連結用部片３ａ，３ｂを介してバランスよく大きな力で保持することができる。したがって、大きいブラジャーでも十分に保持可能である。
【００１８】
上記連結用部片３ａ，３ｂの面積を上記カップ部２ａ，２ｂの面積の１／８〜１／２にしたのは、面積の比率が１／８より小さいとブラジャーを面ファスナー６，１１を介して保持する力が弱くなり、面積の比率が１／２より大きいとブラジャーの保持面積が必要以上に大きくなると共に、連結用部片３ａ、３ｂがカップ部２ａ，２ｂに対して大きすぎて美観を失うからである。より望ましくは、上記連結用部片３ａ，３ｂの面積は、上記カップ部２ａ，２ｂの面積の１／５〜１／３である。
【００１９】
上記ブラジャーは、上記連結用部片３ａ，３ｂに固着された面ファスナー６が腋部に貼着される面ファスナー１１に着脱されため、上記ブラジャーを肩紐や装着バンドを用いなくても上記面ファスナー６，１１及び上記連結用部片３ａ，３ｂを介してバランスよく大きな力で胸部に保持することができる。したがって、肩からの吊紐が煩わしかったり、胸背を圧迫する感じがするといった問題がなく、面ファスナー１１を腋部に簡単に貼着できると共に該面ファスナー１１にブラジャーの連結用部片３ａ，３ｂを簡単に着脱できるからブラジャーの着脱が容易であり、使用時にブラジャーがずれたり外れたりすることもない。しかも、上記ブラジャーは、面ファスナー６，１１の着脱により胸部に取付けるため、従来の肩紐や装着バンドを用いたブラジャーとは違って、手を背中や肩にまわす必要がなくブラジャーの着脱が容易である。
【００２０】
また、上記ブラジャーは腋部に貼着される面ファスナー１１に何回でも簡単に着脱できるから、例えば、乳児に母乳を与えるためにブラジャーを何回も着脱する必要があるといったような場合に好適である。
【００２１】
図４は、上記ブラジャー本体１を、ブラジャー固定片１０とは別に設けた装着用バンド２０を利用して装着する場合の使用態様を示している。この装着用バンド２０は、バンド部２２の両端に、ブラジャー本体１における連結用部片３ａ，３ｂの面ファスナー６と結合できる面ファスナー２１をそれぞれ設けたもので、上記ブラジャー本体１をバンドにより安定的に装着したい場合に、この装着用バンドの両端をブラジャー本体１に面ファスナー２１で連結することにより、該ブラジャー本体１をバンドによる装着に転用することができる。
この装着用バンド２０を用いる場合、ブラジャー本体１の着脱は、両腋の部分に位置する面ファスナー６と面ファスナー２１の着脱により容易に行うことができる。
なお、上記バンド部２２は、その長さを調節自在にしておくこともできるが、面ファスナー６に対する面ファスナー２１の結合位置の調節により、バストサイズに対応させることもできる。
【００２２】
【発明の効果】
以上に詳述した本発明によれば、肩紐や装着バンドを用いなくても胸部に取付けることができ、必要に応じて装着用バンドを用いることもできる着脱が容易なブラジャーを提供することができる。
【図面の簡単な説明】
【図１】本発明に係るブラジャーの一実施例を示す斜視図である。
【図２】本発明に係るブラジャーに用いられる雄雌の面ファスナーの一実施例を示す拡大断面図である。
【図３】本発明に係るブラジャーの装着状態を示す説明図である。
【図４】ブラジャー本体を利用し、装着用バンドを用いて装着する場合の使用態様を示す斜視図である。
【符号の説明】
１　　　ブラジャー本体
２ａ，２ｂ　カップ部
３ａ，３ｂ　連結用部片
６，１１，２１　面ファスナー
１０　　　ブラジャー固定片
１２　　　皮膚用接着剤
２０　　　装着用バンド
２２　　　バンド部
【図１】
2004060085.tif 000003
【図２】
2004060085.tif 000004
【図３】
2004060085.tif 000005
【図４】
2004060085.tif 000006